(57)【要約】【課題】通風孔がない密閉された床下の除湿を行うことができる床下除湿システムおよび床下除湿方法を提供すること。【解決手段】実施形態に係る床下除湿システムは、除湿機と、送風機と、送気ダクトとを備える。除湿機は、建物の外壁面のうち日当たりが悪い方角に面する外壁面の基礎立ち上がり部が施工された床下に設けられる。送風機は、建物の床下に設けられ、床下の空気を吸気して床下へ送風する。送気ダクトは、除湿機における除湿空気の吹き出し口に一端が連結され、他端が送風機に連結される。送風機は、床下の空気を吸気する第１吸気口と、送気ダクトの他端が連結される第２吸気口とを備え、第１吸気口から吸気する空気および第２吸気口から吸気する除湿空気を送風する。【選択図】図１
2018126720.tif 000002
【特許請求の範囲】
【請求項１】
建物の外壁面のうち日当たりが悪い方角に面する外壁面の基礎立ち上がり部が施工された床下に設けられる除湿機と、
前記建物の床下に設けられ、前記床下の空気を吸気して前記床下へ送風する送風機と
を備えることを特徴とする床下除湿システム。
【請求項２】
前記送風機は、
前記建物の床下面の中央位置に設けられ、少なくとも当該送風機から前記除湿機へ向かう方向へ送風する
ことを特徴とする請求項１に記載の床下除湿システム。
【請求項３】
前記送風機は、
前記建物の床下面の中央位置よりも前記除湿機に近い位置に設けられ、少なくとも当該送風機から前記除湿機へ向かう方向とは逆方向へ送風する
ことを特徴とする請求項１に記載の床下除湿システム。
【請求項４】
前記除湿機における除湿空気の吹出し口に一端が連結され、他端が前記送風機に連結される送気ダクト
をさらに備え、
前記送風機は、
前記床下の空気を吸気する第１吸気口と、前記送気ダクトの他端が連結される第２吸気口とを備え、前記第１吸気口から吸気する空気および前記第２吸気口から吸気する除湿空気を送風する
ことを特徴とする請求項１〜３のいずれか一つに記載の床下除湿システム。
【請求項５】
前記送風機は、
水平面と平行な複数の方向へ送風する
ことを特徴とする請求項１〜４のいずれか一つに記載の床下除湿システム。
【請求項６】
前記除湿機は、
ペルチェ素子を備え、前記ペルチェ素子の発熱面となる面と対向する吸熱面となる面を前記基礎立ち上がり部へ向けて当該基礎立ち上がり部の内側面に設置される
ことを特徴とする請求項１〜５のいずれか一つに記載の床下除湿システム。
【請求項７】
前記除湿機は、
空地中に含まれる水分を前記吸熱面の吸熱反応によって結露させ、滴下する結露水を前記基礎立ち上がり部の内側面と外側面との間を貫通する貫通孔に挿入通される排水管へ流して屋外へ排水する
ことを特徴とする請求項６に記載の床下除湿システム。
【請求項８】
早朝および夜間を除く時間帯に前記除湿機および送風機を継続的に稼働させ、早朝および夜間の時間帯に前記除湿機および送風機の稼働を停止させる制御装置
をさらに備える
ことを特徴とする請求項１〜７のいずれか一つに記載の床下除湿システム。
【請求項９】
前記制御装置は、
前記床下の気温が所定温度以上の場合または前記床下の湿度が所定湿度以上の場合に、前記除湿機および送風機を継続的に稼働させ、前記床下の気温が所定温度未満の場合または前記床下の湿度が所定湿度未満の場合に、前記除湿機および送風機の稼働を停止させる
ことを特徴とする請求項８に記載の床下除湿システム。
【請求項１０】
建物の外壁面のうち日当たりが悪い方角に面する外壁面の基礎立ち上がり部が施工された床下に設けられる除湿機によって、前記床下の空気を除湿する工程と、
前記建物の前記床下に設けられる送風機によって、前記床下の空気を吸気して前記床下へ送風する工程と
を含むことを特徴とする床下除湿方法。
【発明の詳細な説明】
【技術分野】
【０００１】
開示の実施形態は、床下除湿システムおよび床下除湿方法に関する。
【背景技術】
【０００２】
従来、屋外の空気を建物の床下へ吸気する吸気用換気装置と、床下の空気を屋外へ排気する排気用換気装置とを備え、床下の空気を換気することによって床下の除湿を行う床下換気システムがある（例えば、特許文献１参照）。
【０００３】
吸気用換気装置は、建物の南側の基礎立ち上がり部に形成される通風孔に設けられ、比較的乾燥した南側の外気を床下へ吸気する。一方、排気用換気装置は、建物の北側の基礎立ち上がり部に形成される通風孔に設けられ、比較的湿度が高い北側の床下の空気を屋外へ排気する。これにより、床下換気システムには、建物の床下を除湿することができる。
【先行技術文献】
【特許文献】
【０００４】
【特許文献１】特開２０１１−２３７０７１号公報
【発明の概要】
【発明が解決しようとする課題】
【０００５】
しかしながら、上記した床下換気システムは、基礎断熱工法で施工されたような通風孔がない密閉された床下の除湿を行うことができない。
【０００６】
実施形態の一態様は、上記に鑑みてなされたものであって、通風孔がない密閉された床下の除湿を行うことができる床下除湿システムおよび床下除湿方法を提供することを目的とする。
【課題を解決するための手段】
【０００７】
実施形態の一態様に係る床下除湿システムは、除湿機と、送風機とを備える。除湿機は、建物の外壁面のうち日当たりが悪い方角に面する外壁面の基礎立ち上がり部が施工された床下に設けられる。送風機は、前記建物の床下に設けられ、前記床下の空気を吸気して前記床下へ送風する。
【発明の効果】
【０００８】
実施形態の一態様に係る床下除湿システムは、通風孔がない密閉された床下の除湿を行うことができる。
【図面の簡単な説明】
【０００９】
【図１】図１は、実施形態に係る床下除湿システムが設置された建物を示す断面模式図である。
【図２】図２は、実施形態に係る送風機の外観を示す斜視説明図である。
【図３】図３は、実施形態に係る除湿機の構造を示す説明図である。
【図４】図４は、実施形態に係る床下除湿システムの構成を示す機能ブロック図である。
【図５】図５は、実施形態に係る制御部が実行する処理を示すフローチャートである。
【図６】図６は、実施形態の変形例１に係る床下除湿システムが設置された建物を示す断面模式図である。
【図７】図７は、実施形態の変形例２に係る床下除湿システムが設置された建物を示す断面模式図である。
【発明を実施するための形態】
【００１０】
以下、添付図面を参照して、本願の開示する床下除湿システムおよび床下除湿方法の実施形態を詳細に説明する。なお、以下に示す実施形態によりこの発明が限定されるものではない。図１は、実施形態に係る床下除湿システム１が設置された建物１０を示す断面模式図である。
【００１１】
ここでは、基礎断熱工法によって基礎が施工された通風孔がない密閉された床下１６を備える建物１０に、床下除湿システム１が設置される場合を例に挙げて説明する。図１に示すように、基礎断熱工法によって施工された基礎は、底面の全面に鉄筋コンクリートが敷設されたベタ基礎部１１と、ベタ基礎部１１の周縁部に立設されて建物１０の外周に面する鉄筋コンクリート製の基礎立ち上がり部１２とを備える。
【００１２】
かかる建物１０の外周に面する基礎立ち上がり部１２には、通風孔が設けられず、基礎立ち上がり部１２内側面からベタ基礎部１１上面の一部まで延在する縦断面視Ｌ字形状をした板状の断熱材１４が設けられる。また、ベタ基礎部１１下面には、防水シート１３が敷設される。これにより、床下１６は、密閉された空間となり、外部からの湿気の侵入を遮断することができる。
【００１３】
しかしながら、施工当初のベタ基礎部１１や基礎立ち上がり部１２は、コンクリートに余分な水分が含まれるため、施工から数年間は余剰水分を放散する。また、床下１６における中央部や日当たりが悪い側（例えば、北側）の空間では、気温の日較差や室内からの水蒸気の流入等によって結露が発生しやすい。こうして放散される余剰水分や結露は、カビやシックハウス症候群の発生原因の一つとなる。
【００１４】
そこで、図１に示すように、床下除湿システム１は、建物１０の外壁面のうち、日当たりが悪い方角に面する外壁面の基礎立ち上がり部１２が施工された床下１６に設けられる除湿機２を備える。例えば、一般的な日本の建物１０の場合、北側が他の方角に比べて日当たりが悪い。このため、床下除湿システム１の除湿機２は、北側の床下に設置される。
【００１５】
なお、建物１０は、隣接する他の建物や地形によって日当たりが悪い方角が北側とは限らない。このため、床下除湿システム１の除湿機２は、他の方角に比べて最も日当たりが悪い方角に面する基礎立ち上がり部１２が施工された床下に設けられる。なお、除湿機２は、建物１０の大引や土台等の構造材に設けられてもよい。
【００１６】
かかる除湿機２は、床下１６内の湿気を含んだ空気（図１に示すハッチングを付した矢印参照）を除湿し、除湿空気（図１に示す白抜き矢印参照）を吹き出し口２１から吹き出す。これにより、床下除湿システム１は、床下１６の中で最も日当たりが悪い方角に面し、結露や水溜りが発生しやすい空間の湿気を含んだ空気を除湿機２によって除湿することができる。
【００１７】
また、除湿機２には、北側の基礎立ち上がり部１２の内側面と外側面との間を貫通する貫通孔に挿入され、基端が除湿機２の下端に連結されて終端が屋外へ引き出された排水管２２が連結される。そして、除湿機２は、内部へ導入される空気に含まれた水分を結露させることによって空気の除湿を行い、排水管２２を通して結露水１００を屋外へ排出する。
【００１８】
このように、床下除湿システム１では、除湿によって生じた結露水１００を屋外へ排出する排水管２２を通す貫通孔を形成する必要があるが、貫通孔の直径が２５［ｍｍ］程度と非常に小さいため、軽微な工事によって排水管２２の設置が可能である。
【００１９】
また、図１に示すように、床下除湿システム１は、床下１６内の空気を吸気して床下１６内へ送風する送風機３を床下１６に備える。これにより、床下除湿システム１は、床下１６内の空気を送風機３によって循環させることができる。したがって、除湿機２によって効率的に床下１６内の除湿を行わせることができる。
【００２０】
しかも、送風機３は、床下１６底面の中央位置に設けられ、送風口３１が除湿機２の方へ向けられ、少なくとも送風機３から除湿機２へ向かう方向へ送風する。これにより、送風機３は、床下１６底面の中央位置よりも南側の空間に比べて多く湿気を含む床下１６底面の中央位置よりも北側の空間の空気を強制的に除湿機２へ送り込むことができる。したがって、除湿機２は、より効率的に床下１６内の除湿を行うことができる。
【００２１】
さらに、図１に示すように、床下除湿システム１は、除湿機２における除湿空気の吹き出し口２１に一端が連結され、他端が送風機３に連結される送気ダクト４を備える。そして、送風機３は、送気ダクト４を介して除湿機２から吸気する除湿空気と、送風機３近傍の床下１６の空気を吸気して送風口３１から送風する。
【００２２】
ここで、図２を参照して実施形態に係る送風機３の形状および動作の一例について説明し、図３を参照して実施形態に係る除湿機２の構造および動作の一例について説明する。図２は、実施形態に係る送風機３の外観および動作を示す斜視説明図である。図３は、実施形態に係る除湿機２の構造および動作を示す説明図である。
【００２３】
ここでは、図２および図３に示す構成要素のうち、図１に示す構成要素については、図１に示す符号と同一の符号を付することにより、その詳細な説明は省略する。なお、図２および図３に示す白抜き矢印は、除湿機２によって除湿された除湿空気の流れを示している。また、図２および図３に示すハッチングを付した矢印は、床下１６内の湿気を含んだ空気の流れを示している。
【００２４】
図２に示すように、送風機３は、筐体３０と、筐体３０の一側面に設けられる送風口３１と、筐体３０の内部に設けられる送風ファン３２とを備える。筐体３０は、上面に送風機３周辺の床下１６内の空気を吸気する第１吸気口３３と、一端が除湿機２における除湿空気の吹き出し口２１に連結される送気ダクト４の他端が連結されて除湿空気を吸気する第２吸気口３４とを備える。
【００２５】
かかる送風機３は、空気の吹出し口となる送風口３１を北へ向けて設置され、第１吸気口３３から吸気する送風機３周辺の湿気を含んだ空気と、第２吸気口３４から吸気する除湿空気とを除湿機２が設けられる北方向へ向けて送風する。
【００２６】
これにより、送風機３は、除湿空気を床下１６内に循環させるだけでなく、送風機３周辺の湿気を含んだ空気を強制的に第２吸気口３４から吸気して送風することで、送風機３の周辺に湿気を含んだ空気が滞留することを防止することができる。
【００２７】
また、図３に示すように、除湿機２は、筐体２０と、筐体２０の前面に設けられる除湿空気の吹き出し口２１と、筐体２０の前面下部に設けられる空気の取り込み口２３と、筐体２０の内部に設けられるペルチェ素子２４とを備える。吹き出し口２１には、前述した送気ダクト４の一端が連結される。また、筐体２０の底面は漏斗状に形成される。そして、筐体２０の下面には、排水管２２が連結される。
【００２８】
除湿機２は、内部に備えるペルチェ素子２４のペルチェ効果を利用して空気の除湿を行う。ペルチェ素子２４は、異なる金属が接合された素子であり、電圧が印加されると対向する２面のうちの一方の面（ここでは、前面）が高温になる発熱面となり、他方面（ここでは、背面）が低温になる吸熱面となる。
【００２９】
除湿機２は、かかるペルチェ効果を利用して除湿を行うために、ペルチェ素子２４の吸熱面となる側の面に複数の吸熱板２５を備え、発熱面となる側の面に複数の放熱板２６を備える。
【００３０】
除湿機２は、ファンを備えていないが、空気の吹き出し口２１に連結された送気ダクト４の他端が送風機３の第２吸気口３４に連結されているため、送風機３が備える送風ファン３２の吸引力によって、空気が吹き出し口２１から送気ダクト４へ吸引される。
【００３１】
これにより、除湿機２は、取り込み口２３から筐体２０の内部へ空気を取り込み、吸熱板２５が設けられた送気路へ空気を導入して冷却し、空気に含まれる水分を結露させて滴下する結露水１００を排水管２２に流下させて屋外へ排水することで空気の除湿を行うことができる。
【００３２】
除湿機２によって除湿された除湿空気は、送風機３の吸引力によって放熱板２６が設けられた通気路へ導入され、吹き出し口２１から送気ダクト４を介して送風機３の第２吸気口３４へ送気される。
【００３３】
また、除湿機２は、ペルチェ素子２４の発熱面となる面と対向する吸熱面となる面を北側の基礎立ち上がり部１２へ向けた状態で、基礎立ち上がり部１２の内側面に設置される。これにより、除湿機２は、ペルチェ素子２４の発熱面が屋外側とは逆の床下１６側に面するため、例えば、冬場に発熱面で生じる熱によって床下１６内の気温を上昇させ、床下１６と室内１５（図１参照）との気温差を低減することができる。
【００３４】
また、除湿機２は、放熱板２６の間を通過して過熱された除湿空気を送気ダクト４から送風機３へ送り、送風機３によって床下１６内へ送風することによっても、床下１６と室内１５との気温差を低減することができる。これにより、除湿機２は、床下１６と室内１５との気温差による結露の発生を抑制することができる。
【００３５】
また、除湿機２は、空地中に含まれる水分をペルチェ素子２４の吸熱面の吸熱反応によって結露させ、滴下する結露水１００を排水管２２へ流して屋外へ排水する。このように、除湿機２は、結露水１００を自由落下させて屋外へ排水するので、排水用のポンプを設けることなく、結露水１００の排水を行うことができる。
【００３６】
また、ペルチェ式の除湿機２は、一般に一坪（約３．３平米）程度までの室内を除湿可能とされるが、床下１６に設置される場合、室内よりも高さが低く空間の容積が小さいため、送風機３による送風と協働することで１０坪〜２０坪程度の床下１６まで除湿が可能である。
【００３７】
また、ペルチェ式の除湿機２は、コンプレッサーを使用して除湿を行う他の除湿機に比べて小型であるため、高さが低い床下１６であっても、ベタ基礎部１１の上面よりも上方に設置することができる。これによっても、除湿機２は、排水用のポンプを設けることなく、結露水１００を自由落下させて屋外へ排水することができる。
【００３８】
図１へ戻り、床下除湿システム１の説明を続ける。図１に示すように、床下除湿システム１は、建物１０の室内１５に、除湿機２および送風機３の動作を制御する制御装置５を備える。また、床下除湿システム１は、床板の裏面に設けられて床下１６の気温を検知する温度センサ５２と、床下１６の湿度を検知する湿度センサ５３とを備える。
【００３９】
温度センサ５２は、検知した床下１６の気温を制御装置５へ出力する。湿度センサ５３は、検知した床下１６の湿度を制御装置５へ出力する。そして、制御装置５は、温度センサ５２および湿度センサ５３の検知結果に基づいて、除湿機２および送風機３の動作を制御する。
【００４０】
次に、かかる制御装置５の構成および動作について、図４を参照して説明する。図４は、実施形態に係る床下除湿システム１の構成を示す機能ブロック図である。なお、除湿機２、送風機３、温度センサ５２、および湿度センサ５３については、その機能および動作について説明したため、図１に示す符号と同一の符号を付することによって説明を省略し、ここでは、制御装置５について説明する。
【００４１】
図４に示すように、制御装置５は、制御部５０と、タイマ５１とを備える。タイマ５１は、現在時刻を計時する時計機能を備え、制御部５０に接続される。制御部５０は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。なお、制御部５０は、一部または全部がＡＳＩＣやＦＰＧＡ等のハードウェアで構成されてもよい。
【００４２】
制御部５０は、タイマ５１、温度センサ５２、湿度センサ５３、除湿機２、および送風機３に接続され、タイマ５１、温度センサ５２、および湿度センサ５３から取得する情報に基づいて、除湿機２および送風機３の動作制御を行う処理部である。
【００４３】
具体的には、制御部５０は、タイマ５１から取得する現在時刻に基づき、早朝および夜間を除く時間帯に除湿機２および送風機３を継続的に稼働させ、早朝および夜間の時間帯に除湿機２および送風機３の稼働を停止させる。例えば、制御部５０は、８：００〜１８：００の時間帯に除湿機２および送風機３を稼働させ、８：００〜１８：００以外の時間帯に除湿機２および送風機３を停止させる。
【００４４】
このように、床下除湿システム１は、１日のうちで気温の変動が比較的大きく床下１６に結露が生じ易い時間帯に除湿機２および送風機３を稼働させ、気温の変動が比較的小さく結露が生じにくい時間帯に除湿機２および送風機３を停止させる。これにより、床下除湿システム１は、効果的に床下１６の除湿を行いつつ、消費電力を低く抑えることができる。
【００４５】
また、制御部５０は、温度センサ５２から取得する床下１６の気温に基づき、床下１６の気温が所定温度以上の場合に、除湿機２および送風機３を継続的に稼働させ、床下１６の気温が所定温度未満の場合に、除湿機２および送風機３の稼働を停止させる。例えば、制御部５０は、床下１６の気温が１５℃以上の場合に、除湿機２および送風機３を稼働させ、床下１６の気温が１５℃未満の場合に、除湿機２および送風機３を停止させる。
【００４６】
このように、床下除湿システム１は、夏季の結露発生率が高い床下１６の気温が１５℃以上の場合に除湿機２および送風機３を稼働させ、結露発生率が低い１５℃未満の場合に除湿機２および送風機３を停止させる。これにより、床下除湿システム１は、効果的に床下１６の除湿を行いつつ、消費電力を低く抑えることができる。
【００４７】
また、制御部５０は、湿度センサ５３から取得する床下１６の湿度に基づき、床下１６の湿度が所定湿度以上の場合に、除湿機２および送風機３を継続的に稼働させ、床下１６の湿度が所定湿度未満の場合に、除湿機２および送風機３の稼働を停止させる。例えば、制御部５０は、床下１６の湿度が６０％以上の場合に、除湿機２および送風機３を稼働させ、床下１６の湿度が６０％未満の場合に、除湿機２および送風機３を停止させる。
【００４８】
このように、床下除湿システム１は、一年を通して結露発生率が高い床下１６の湿度が６０％以上の場合に除湿機２および送風機３を稼働させ、結露発生率が低い６０％未満の場合に除湿機２および送風機３を停止させる。これにより、床下除湿システム１は、効果的に床下１６の除湿を行いつつ、消費電力を低く抑えることができる。
【００４９】
なお、床下除湿システム１は、温度センサ５２および湿度センサ５３を備えない構成であってもよい。かかる構成の場合、床下除湿システム１は、タイマ５１によって毎日、所定時間（例えば、９：００〜１９：００の１０時間）の間、除湿機２および送風機３を稼働させる。かかる床下除湿システム１によれば、温度センサ５２および湿度センサ５３を設けない分だけ低コストで床下１６を除湿可能なシステムを構築することができる。
【００５０】
次に、図５を参照し、実施形態に係る制御部５０が実行する処理について説明する。図５は、実施形態に係る制御部５０が実行する処理を示すフローチャートである。制御部５０は、電源が投入されている間、図５に示す処理を所定周期で繰り返し実行する。
【００５１】
具体的には、図５に示すように、制御部５０は、まず、稼働時間か否かを判定し（ステップＳ１０１）、稼働時間でないと判定した場合（ステップＳ１０１，Ｎｏ）、処理をステップＳ１０５へ移す。また、制御部５０は、稼働時間であると判定した場合（ステップＳ１０１，Ｙｅｓ）、床下１６の気温が所定温度以上か否かを判定する（ステップＳ１０２）。
【００５２】
そして、制御部５０は、床下１６の気温が所定温度以上であると判定した場合（ステップＳ１０２，Ｙｅｓ）、処理をステップＳ１０４へ移す。また、制御部５０は、床下１６の気温が所定温度以上でないと判定した場合（ステップＳ１０２，Ｎｏ）、床下１６の湿度が所定湿度以上か否かを判定する（ステップＳ１０３）。
【００５３】
そして、制御部５０は、床下１６の湿度が所定湿度以上でないと判定した場合（ステップＳ１０３，Ｎｏ）、処理をステップＳ１０６へ移す。また、制御部５０は、床下１６の湿度が所定湿度以上であると判定した場合（ステップＳ１０３，Ｙｅｓ）、除湿機２および送風機３を稼働状態にする（ステップＳ１０４）。
【００５４】
続いて、制御部５０は、停止時間帯か否かの判定を行い（ステップＳ１０５）、停止時間帯であると判定した場合（ステップＳ１０５，Ｙｅｓ）、除湿機２および送風機３を停止状態にして（ステップＳ１０６）、処理を終了する。また、制御部５０は、停止時間でないと判定した場合（ステップＳ１０５，Ｎｏ）、処理を終了する。
【００５５】
上述したように、実施形態に係る床下除湿システムは、除湿機と、送風機と、送気ダクトとを備える。除湿機は、建物の外壁面のうち日当たりが悪い方角に面する外壁面の基礎立ち上がり部が施工された床下に設けられる。送風機は、建物の床下に設けられ、床下の空気を吸気して床下へ送風する。
【００５６】
送気ダクトは、除湿機における除湿空気の吹き出し口に一端が連結され、他端が送風機に連結される。送風機は、床下の空気を吸気する第１吸気口と、送気ダクトの他端が連結される第２吸気口とを備え、第１吸気口から吸気する空気および第２吸気口から吸気する除湿空気を送風する。実施形態に係る床下除湿システムは、通風孔がない密閉された床下の除湿を行うことができる。
【００５７】
なお、図１に示した床下除湿システム１の構成は一例であり、種々の変形が可能である。以下、図６および図７を参照し、実施形態の変形例に係る床下除湿システムの構成について説明する。以下では、図６および図７に示す構成要素のうち、図１に示した構成要素と同様の構成要素については、図１に示す符号と同一の符号を付することにより、その説明を省略する。
【００５８】
図６は、実施形態の変形例１に係る床下除湿システム１ａが設置された建物１０を示す断面模式図である。図７は、実施形態の変形例２に係る床下除湿システム１ｂが設置された建物１０を示す断面模式図である。なお、図６および図７おいても、白抜き矢印は、除湿された除湿空気の流れを示しており、ハッチングを付した矢印は、床下１６内の湿気を含んだ空気の流れを示している。
【００５９】
図６に示すように、床下除湿システム１ａは、送風機３が床下１６底面の中央位置よりも除湿機２に近い位置に設けられ、少なくとも送風機３から除湿機２へ向かう方向とは逆方向（ここでは、南方向）へ送風する点が図１に示す床下除湿システム１とは異なる。
【００６０】
床下除湿システム１ａによれば、湿気を含んだ空気が滞留しがちな北側の床下１６の空間から送風機３によって強制的に空気を吸気し、南側へ送風することができる。これにより、床下除湿システム１ａは、湿気を含んだ空気が比較的湿度が高い北側の床下１６に滞留することを抑制することができる。
【００６１】
また、床下除湿システム１ａは、湿気を含んだ北側の床下１６の空気を南側の床下１６へ送風することによって、南側の床下１６の比較的乾燥した環境を利用して、湿気を含んだ空気の湿度を低減させることができる。
【００６２】
さらに、床下除湿システム１ａは、送風機３によって南へ向けて送風し続けることで、南側の床下１６の比較的乾燥した環境によって湿度を低減させた空気を、除湿機２が設置された北側の床下１６へ循環させることができる。これにより、床下除湿システム１ａは、北側の床下１６へ戻ってくる空気を除湿機２によって効果的に除湿することができる。
【００６３】
また、図７に示すように、床下除湿システム１ｂは、送気ダクト４が設けられない点と、除湿機２ａが床下１６から空気を吸い込み、吸い込んで除湿した除湿空気を床下１６へ吹き出すファン２７を備える点が図６に示す床下除湿システム１ｂとは異なる。これにより、床下除湿システム１ｂによれば、送気ダクト４を設置する作業およびコストを削減することができる。
【００６４】
また、床下除湿システム１ｂでは、送気ダクト４が設けられないため、送風機３の吸引力を利用して除湿機２ａ内に空気を循環させることはできないが、除湿機２ａがファン２７を備えるため、ファン２７によって除湿機２ａ内に空気を循環させることができる。
【００６５】
これにより、床下除湿システム１ｂは、床下１６に図６に示す空気の流れと同様の空気の流れを形成することができるため、図６に示す床下除湿システム１ａと同様に、効果的に床下１６の除湿を行うことができる。
【００６６】
また、上述した実施形態にでは、送風機３が一方向へ空気を送風する場合を例に挙げたが、これは一例である。送風機３は、例えば、水平面と平行な複数の方向へ送風する構成であってもよい。かかる送風機３によれば、より効率的に床下１６内の空気を撹拌して循環させることができる。
【００６７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６８】
１、１ａ、１ｂ  床下除湿システム
２、２ａ  除湿機
３  送風機
４  送気ダクト
５  制御装置
１０  建物
１１  ベタ基礎部
１２  基礎立ち上がり部
１３  防水シート
１４  断熱材
１５  室内
１６  床下
２０、３０  筐体
２１  吹き出し口
２２  排水管
２３  取り込み口
２４  ペルチェ素子
２５  吸熱板
２６  放熱板
２７  ファン
３１  送風口
３２  送風ファン
３３  第１吸気口
３４  第２吸気口
５０  制御部
５１  タイマ
５２  温度センサ
５３  湿度センサ
１００  結露水
【図１】
2018126720.tif 000003
【図２】
2018126720.tif 000004
【図３】
2018126720.tif 000005
【図４】
2018126720.tif 000006
【図５】
2018126720.tif 000007
【図６】
2018126720.tif 000008
【図７】
2018126720.tif 000009